【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
式（I）および（II）から選択される部分構造を含有する化合物を含む、発光材料：
【化１】
2005097549.tif 000001
式中、R1、R2およびR3は、独立して水素、ハロゲン、アルキル、置換アルキル、アルコキシ、置換アルコキシ、シクロアルキル、置換シクロアルキル、アルケニル、置換アルケニル、アルキニル、置換アルキニル、アリール、置換アリール、ヘテロアリール、置換へテロアリール、アルキルチオ、アルキルアルコキシ、置換アルキルアルコキシ、アシル、アシルオキシ、アミノアシル、スルホニル、スルフィニル、シリルおよびホウ素基から選択され、
Arはアリーレン、置換アリーレン、ヘテロアリーレンおよび置換ヘテロアリーレン基から選択され、
Gは、アルキル、置換アルキル、アルコキシ、置換アルコキシ、アリール、置換アリール、ヘテロアリール、置換へテロアリール、アリールオキシ、置換アリールオキシ、ジアルキルアミノ、置換ジアルキルアミノ、アルキルアミノ、置換アルキルアミノ、ジアリールアミノ、置換ジアリールアミノ、アミノ、置換アミノ、シアノ、F、シリルおよびホウ素基から選択され、
Z101は基を含み、ただしZ101はZ101に結合する炭素原子と共にアリール、置換アリール、ヘテロアリールまたは置換へテロアリール環を形成し、
以下の条件：
R1、R2、R3およびGは、F、−CnF2n+1、−OCnF2n+1および−OCF2X（式中、nは１〜６の整数、XはH、ClおよびBrから選択される）から選択されず、
Arが置換アリーレンから選択される場合には、この置換基はF、−CnF2n+1、−OCnF2n+1および−OCF2X（式中、nは１〜６の整数、XはH、ClおよびBrから選択される）から選択されず、
前記部分構造が式（Ｉ）であり、R1、R2およびR3がそれぞれ水素原子であり、Arがフェニレンであるとき、Gは非置換のアルキル、メトキシ、Ｆまたは-CF3ではなく、
前記部分構造が式（Ｉ）であり、R1、R2およびR3がそれぞれ水素原子であり、Arがナフチレンであるとき、Gはシアノではなく、
前記部分構造が式（ＩＩ）であり、Z101がZ101に結合する炭素原子と共に非置換の芳香族六員環を形成するとき、Gはメチルではなく、そして
Gが−OCH3および−N(CH3)2から選択される場合には、ArはC6アリーレンではない、
を満たす。
【請求項２】
Gが、C1-8アルキル、C1-8置換アルキル、C5-10アリール、C5-10置換アリール、C5-10ヘテロアリール、C5-10置換へテロアリール、C1-8アルコキシ、C1-8置換アルコキシ、C1-8ジアルキルアミノ、C1-8置換ジアルキルアミノ、C1-8ヘテロアルキル、C1-8置換ヘテロアルキル、C1-8アルキルアミノ、C1-8置換アルキルアミノ、−CNおよびFから選択される、請求項１に記載の発光材料。
【請求項３】
Gが、C1-4アルキル、C1-4置換アルキル、C1-4アルコキシおよびC1-4置換アルコキシから選択される、請求項１に記載の発光材料。
【請求項４】
前記部分構造が式（ＩＩ）であり、Z101およびZ101に結合する炭素原子が非置換または置換の芳香族六員環を形成する、請求項１に記載の発光材料。
【請求項５】
該化合物が、式（III）の部分構造を含有する、請求項１の発光材料：
【化２】
2005097549.tif 000002
式中、R4は６および８位で置換され、そして各R4は独立して水素、アルキル、置換アルキル、ヘテロアルキル、置換ヘテロアルキル、アリールおよび置換アリールから選択される。
【請求項６】
各R4が、独立してC1-4アルキル、C1-4置換アルキル、C1-4アルコキシ、およびC1-4置換アルコキシから選択される、請求項５の発光材料。
【請求項７】
該化合物が式（８）、（９）、（１３）、（１４）、（１５）および式（１６）から選択される、請求項１の発光材料：
【化３】
2005097549.tif 000003
【化４】
2005097549.tif 000004
【請求項８】
アノード、
カソード、および
該アノードと該カソードとの間に配置した発光層を含む有機層を含有する発光素子であって；
ただし、該発光層は式（I）および（II）から選択される部分構造を含有する化合物を、少なくとも一種含有する発光素子：
【化５】
2005097549.tif 000005
式中、R1、R2およびR3は、独立して水素、ハロゲン、アルキル、置換アルキル、アルコキシ、置換アルコキシ、シクロアルキル、置換シクロアルキル、アルケニル、置換アルケニル、アルキニル、置換アルキニル、アリール、置換アリール、ヘテロアリール、置換へテロアリール、アルキルチオ、アルキルアルコキシ、置換アルキルアルコキシ、アシル、アシルオキシ、アミノアシル、スルホニル、スルフィニル、シリルおよびホウ素基から選択され、
Arはアリーレン、置換アリーレン、ヘテロアリーレンおよび置換ヘテロアリーレン基から選択され、
Gは、アルキル、置換アルキル、アルコキシ、置換アルコキシ、アリール、置換アリール、ヘテロアリール、置換へテロアリール、アリールオキシ、置換アリールオキシ、ジアルキルアミノ、置換ジアルキルアミノ、アルキルアミノ、置換アルキルアミノ、ジアリールアミノ、置換ジアリールアミノ、アミノ、置換アミノ、シアノ、F、シリルおよびホウ素基から選択される基であり、
Z101は基を含み、ただしZ101はZ101に結合する炭素原子と共にアリール、置換アリール、ヘテロアリールまたは置換へテロアリール環を形成し、
以下の条件、
R1、R2、R3およびGは、F、−CnF2n+1、−OCnF2n+1および−OCF2X（式中、nは１〜６の整数、XはH、ClおよびBrから選択される）から選択されず、
Arが置換アリーレンから選択される場合には、この置換基はF、−CnF2n+1、−OCnF2n+1および−OCF2X（式中、nは１〜６の整数、XはH、ClおよびBrから選択される）から選択されず、
前記部分構造が式（Ｉ）であり、R1、R2およびR3がそれぞれ水素原子であり、Arがフェニレンであるとき、Gは非置換のアルキル、メトキシ、Fまたは-CF3ではなく、
前記部分構造が式（Ｉ）であり、R1、R2およびR3がそれぞれ水素原子であり、Arがナフチレンであるとき、Gはシアノではなく、
前記部分構造が式（ＩＩ）であり、Z101がZ101に結合する炭素原子と共に非置換の芳香族六員環を形成するとき、Gはメチルではなく、そして
Gが−OCH3および−N(CH3)2から選択される場合には、Arはフェニレンではない、
を満たす。
【請求項９】
該有機層が、該カソードと該発光層の間に配置された電子輸送層、および該発光層と該アノードの間に配置された正孔輸送層をさらに含有する、請求項８に記載の発光素子。
【請求項１０】
該有機層が、該電子輸送層と該発光層の間に配置された正孔ブロッキング層、および該正孔輸送層および該アノードの間に配置された正孔注入層をさらに含有する、請求項９に記載の発光素子。
【請求項１１】
該アノード上に配置される光反射層を含有し、該カソードが光学透過性をもつ、請求項８に記載の発光素子。
【請求項１２】
Gが、C1-8アルキル、C1-8置換アルキル、C5-10アリール、C5-10置換アリール、C5-10ヘテロアリール、C5-10置換へテロアリール、C1-8アルコキシ、C1-8置換アルコキシ、C1-8ジアルキルアミノ、C1-8置換ジアルキルアミノ、C1-8ヘテロアルキル、C1-8置換ヘテロアルキル、C1-8アルキルアミノ、C1-8置換アルキルアミノ、−CNおよびFから選択される、請求項８に記載の発光素子。
【請求項１３】
Gが、C1-4アルキル、C1-4置換アルキル、C1-4アルコキシおよびC1-4置換アルコキシから選択される、請求項８に記載の発光素子。
【請求項１４】
前記部分構造が式（ＩＩ）であり、Z101およびZ101に結合する炭素原子が非置換または置換の芳香族六員環を形成する、請求項８に記載の発光素子。
【請求項１５】
式（III）の部分構造を含有する化合物を少なくとも一種含有する、請求項８に記載の発光素子：
【化６】
2005097549.tif 000006
式中、R4は６および８位で置換され、各R4は独立して水素、アルキル、置換アルキル、ヘテロアルキル、置換ヘテロアルキル、アリールおよび置換アリールから選択される。
【請求項１６】
各R4が、独立してC1-4アルキル、C1-4置換アルキル、C1-4アルコキシ、およびC1-4置換アルコキシから選択される、請求項１５の発光素子。
【請求項１７】
少なくとも一種の該化合物が、式（８）、（９）、（１３）、（１４）、（１５）および（１６）から選択される、請求項８の発光素子： 
【化７】
2005097549.tif 000007
【化８】
2005097549.tif 000008
【請求項１８】
下式（I）または（II）に代表される部分構造を含有する化合物を含む、発光材料：
【化９】
2005097549.tif 000009
式中、R1、R2およびR3は、独立して水素原子または置換基であり、Arはアリーレンおよびヘテロアリーレンから選択され、Gは、アルキル、アリール、ヘテロアリール、アリールオキシ、N,N'−ジアリールアミノ、アルキルエーテル、シアノおよびフッ素原子から選択され、Z101は基を含み、Z101はZ101に結合する炭素原子と共にアリール、置換アリール、ヘテロアリール環または置換へテロアリール環を形成し、
前記部分構造が式（Ｉ）であり、R1、R2およびR3がそれぞれ水素原子であり、Arがフェニレンであるとき、Gは非置換のアルキル、メトキシ、Fおよび-CF3ではなく、
前記部分構造が式（Ｉ）であり、R1、R2およびR3がそれぞれ水素原子であり、Arがナフチレンであるとき、Gはシアノではなく、そして
前記部分構造が式（ＩＩ）であり、Z101がZ101に結合する炭素原子と共に非置換の芳香族六員環を形成するとき、Gはメチルではない。
【請求項１９】
基板、
該基板上に配置したアノード、および該アノード上に配置したカソード、ならびに
該アノードと該カソードの間に配置した発光層を含む有機層、を含有する発光素子であって、
ただし、該有機層は、下記式（I）または（II）に表わされる部分構造を含有する化合物を含有する、発光素子：
【化１０】
2005097549.tif 000010
式中、R1、R2およびR3は、独立して水素原子または置換基であり、Arはアリーレンおよびヘテロアリーレンから選択され、Gは、アルキル、アリール、ヘテロアリール、アリールオキシ、N,N'−ジアリールアミノ、アルキルエーテル、シアノおよびフッ素原子から選択され、Z101は基を含み、Z101はZ101に結合する炭素原子と共にアリール、置換アリール、ヘテロアリール環または置換へテロアリール環を形成し、
前記部分構造が式（Ｉ）であり、R1、R2およびR3がそれぞれ水素原子であり、Arがフェニレンであるとき、Gは非置換のアルキル、メトキシ、Fおよび-CF3ではなく、
前記部分構造が式（Ｉ）であり、R1、R2およびR3がそれぞれ水素原子であり、Arがナフチレンであるとき、Gはシアノではなく、そして
前記部分構造が式（ＩＩ）であり、Z101がZ101に結合する炭素原子と共に非置換の芳香族六員環を形成するとき、Gはメチルではない。
【請求項２０】
下記式(VIII)を有する化合物を含有する発光材料：
Ir−La−Lb−Lcx−L'y−L"z      （VIII）
式中、x＝０または１、y＝０、１または２、z＝０または１、ただし：
X=０またはy+z＝０またはy=２のときはZ=０、
L'＝二座配位子または単座配位子であり、リン配位子ではなく、ただし：
L'＝単座配位子である場合、y+z＝２、
L'＝二座配位子である場合、y=１およびz=０、
L"＝単座配位子であり、リン配位子ではなく、
La、LbおよびLcは互いに同一または互いに異なっており、各La、LbおよびLcは下記式（IX）または（X）に表わされる構造を有し：
【化１１】
2005097549.tif 000011
式中、R1、R2およびR3は、独立して水素原子または置換基から選択され、Arはアリーレンおよびヘテロアリーレンから選択され、Gは、アルキル、アリール、ヘテロアリール、アリールオキシ、N,N'−ジアリールアミノ、アルキルエーテル、シアノおよびフッ素原子から選択され、Z101は基を含み、Z101はZ101に結合する炭素原子と共にアリール、置換アリール、ヘテロアリール環または置換へテロアリール環を形成し、
La、LbおよびLcのいずれも式（Ｘ）のリガンドではないとき、式（ＩＸ）のGの少なくとも１つは、R1、R2およびR3がそれぞれ水素原子でArがフェニレンである場合には非置換のアルキル、-CF3、Ｆ又はメトキシではなく、
La、LbおよびLcのいずれも式（Ｘ）のリガンドではないとき、式（ＩＸ）のGの少なくとも１つは、R1、R2およびR3がそれぞれ水素原子でArがナフチレンである場合にはシアノではなく、そして
La、LbおよびLcが式（Ｘ）のリガンドであり、Z101がZ101に結合する炭素原子と共に非置換の芳香族六員環を形成するとき、式（Ｘ）のGの少なくとも１つはメチルではない。
【請求項２１】
基板、
該基板上に配置したアノード、および該アノード上に配置したカソード、ならびに
該アノードと該カソードの間に配置された発光帯（luminescent zone）を有する有機層、
を含有する発光素子であって、
ただし、該有機層は、下記式(VIII)を有する化合物を有する発光素子：
Ir−La−Lb−Lcx−L'y−L"z      （VIII）
式中、x＝０または１、y＝０、１または２、z＝０または１、ただし：
X=０またはy+z＝０またはy=２のときはZ=０、
L'＝二座配位子または単座配位子であり、リン配位子ではなく、ただし：
L'＝単座配位子である場合、y+z＝２、
L'＝二座配位子である場合、y=１およびz=０、
L"＝単座配位子であり、リン配位子ではなく、
La、LbおよびLcは互いに同一または互いに異なっており、各La、LbおよびLcは下記式（IX）または（X）に表わされる構造を有し：
【化１２】
2005097549.tif 000012
式中、R1、R2およびR3は、独立して水素原子または置換基から選択され、Arはアリーレンおよびヘテロアリーレンから選択され、Gは、アルキル、アリール、ヘテロアリール、アリールオキシ、N,N'−ジアリールアミノ、アルキルエーテル、シアノおよびフッ素原子から選択され、Z101は基を含み、Z101はZ101に結合する炭素原子と共にアリール、置換アリール、ヘテロアリール環または置換へテロアリール環を形成し、
La、LbおよびLcのいずれも式（Ｘ）のリガンドではないとき、式（ＩＸ）のGの少なくとも１つは、R1、R2およびR3がそれぞれ水素原子でArがフェニレンである場合には非置換のアルキル、-CF3、Ｆ又はメトキシではなく、
La、LbおよびLcのいずれも式（Ｘ）のリガンドではないとき、式（ＩＸ）のGの少なくとも１つは、R1、R2およびR3がそれぞれ水素原子でArがナフチレンである場合にはシアノではなく、そして
La、LbおよびLcが式（Ｘ）のリガンドであり、Z101がZ101に結合する炭素原子と共に非置換の芳香族六員環を形成するとき、式（Ｘ）のGの少なくとも１つはメチルではない。
【請求項２２】
アノード、カソード、および該アノードとカソードの間に配置された発光層を含有する有機層、を提供することを含み、該発光層が、請求項１に記載の発光材料を少なくとも一種含有するものである、発光素子の作成方法。
【請求項２３】
アノード、カソード、および該アノードとカソードの間に配置された発光層を含有する有機層、を提供することを含み、該発光層が、請求項１８に記載の発光材料を少なくとも一種含有するものである、発光素子の作成方法。
【請求項２４】
アノード、カソード、および該アノードとカソードの間に配置された発光層を含有する有機層、を提供することを含み、該発光層が、請求項２０に記載の発光材料を少なくとも一種含有するものである、発光素子の作成方法。
【請求項２５】
請求項１に記載の発光材料を、少なくとも一種提供することを含む、発光層の作成方法。
【請求項２６】
請求項１８に記載の発光材料を、少なくとも一種提供することを含む、発光層の作成方法。
【請求項２７】
請求項２０に記載の発光材料を、少なくとも一種提供することを含む、発光層の作成方法。